(57)【要約】【課題】樋受金物などの従来構成の軒樋支持具を用いることなく、手間をかけずに、軒樋を鼻隠しに正確且つ堅牢に取り付けることができるようにする。【解決手段】  前面部２２と底面部２１と後面部２３とで略Ｕ字形断面形状をなし、前面部２２の上方に後方側に折り返した縁部２ｅが形成されてなる軒樋２と、該軒樋２の前面部２２と後面部２３との内面部間に横架される吊具本体３１内にビス５が貫通する通孔３１ｃが設けられた吊具３からなり、軒樋２の前面部２２と後面部２３との内面部間に横架した吊具本体３１の通孔３１ｃに前面部２２を貫通したビス５を挿通して、後面部２３を貫通した先端部を鼻隠し７に固定し、吊具本体３１の前部で軒樋２の折り返し縁部２２ｅを支持する。【選択図】  図１
2008045344.tif 000002
【特許請求の範囲】
【請求項１】
前面部（２２）と底面部（２１）と後面部（２３）とで略Ｕ字形断面形状をなし、前面部（２２）の上方に後方へ折り返した縁部（２２ｅ）が形成されてなる軒樋（２）と、
軒樋（２）の前面部（２２）と後面部（２３）との内面部間に横架される吊具本体（３１）内にビス（５）が貫通する通孔（３１ｃ）を設けた吊具（３）からなり、
軒樋（２）の前面部（２２）と後面部（２３）との内面部間に吊具（３）を横架させ、ビス（５）を軒樋（２）の前面部（２）の外側から吊具本体（３）の通孔（３１ｃ）に挿通するとともに先端を後面部（２３）を通して鼻隠し（７）に打ち込んで固定し、吊具本体（３１）の前部で軒樋（２）の折り返し縁部（２２ｅ）を支持したことを特徴とする軒樋の取付構造。
【請求項２】
吊具本体（３１）から上方に立ち上がる支持片（３１ｄ）の上端に軒樋（２）の上面を覆う落ち葉除け（４）を固定し、この落ち葉除け（４）の前面側に設けた嵌合面部（４２）で軒樋（２）の前面部（２２）の上方を覆ったことを特徴とする請求項１に記載の軒樋の取付構造。
【発明の詳細な説明】
【技術分野】
【０００１】
本発明は、軒樋とこれを支持する吊具をビスで軒先に一体に取り付ける構造に関する。
【背景技術】
【０００２】
従来、軒樋の取り付けには、例えば図５（Ａ）に示されるＵ字形に湾曲した樋受金物１００や、同図（Ｂ）に示される樋内吊具１０１などの支持具が用いられており、該支持具を鼻隠しに取り付けたのち、支持具で軒樋の底面部や樋耳部を支持することにより軒樋を軒先に固定していた（例えば特許文献１、２参照）。
また、軒樋の樋耳部との係合部を持たない支持具を用いて軒樋を軒先に取り付ける構造として、例えば図６に示されるように、中間径大部１０２ａの先端に小径の軒先固定部１０２ｂ、後端に軒樋支承部１０２ｃを設けてなる固定金具１０２を用い、鼻隠しに軒先固定部１０２ｂを打ち込んで固定金具１０２を固定し、軒樋支承部１０２ｃに軒樋１０３の前後面部１０３ａ、１０３ｂを貫通させ、前面部１０３ａの外側に露出した軒樋支承部１０２ｃの先端部に留め具カバー１０４を装着して軒樋１０３を固定するものが知られている（例えば特許文献３参照）。
【０００３】
【特許文献１】実開平２−７７２１７号公報
【特許文献２】特開２００１−１３２１８２号公報
【特許文献１】特開２００１−２９５４３２号公報
【発明の開示】
【発明が解決しようとする課題】
【０００４】
前記樋受金物１００や樋吊具１０１、固定金具１０２などの支持具を用いた従来の軒樋の取り付け作業は、先ず鼻隠しに沿って支持具を固定し、次いで固定した支持具に軒樋を装着し支持させる手順によって行われていた。つまり、軒樋を鼻隠しに沿って取り付けるには、予め軒先に支持具を固定しておかなければならず、軒樋を鼻隠しに直に取り付けることはできなかった。
【０００５】
一方、前記各支持具は、その前後両端で軒樋の前後両面部を支持し、これにより軒樋の前後両面部にテンションを与えて軒樋をＵ字形に保形するように機能し、また、鼻隠しに固定された支持具に沿って軒樋が取り付けられることで、鼻隠しにおける軒樋の固定位置を位置決めするようにも機能している。
支持具を用いずに、軒樋の後面部を鼻隠しにビス留めするなどして、軒樋を直に鼻隠しに取り付けることも可能であるが、その場合に、軒樋の前面部を支持する部材がないので、軒樋の剛性が高くないと、前面部が風圧を受けて内側に凹んだり、自身の荷重や内部に流入した雨水の重さで前面部側が下方へ撓んだりしてしまう不都合が生じ、また、予め軒樋の固定位置を正確に位置決めしておかないと軒樋が斜めに取り付けられることにもなりかねず、軒樋の取り付けに手間を要してしまう。
【０００６】
本発明は従来技術の有するこのような問題点に鑑み、樋受金物などの従来構成の軒樋支持具を用いることなく、手間をかけずに、軒樋を鼻隠しに正確且つ堅牢に取り付けることができるようにすることを課題とする。
【課題を解決するための手段】
【０００７】
前記課題を解決するため本発明の軒樋の取付構造は、ビスの通孔を有する吊具が前面部と後面部の内面部間に横架された軒樋を鼻隠しにあてがい、ビスを軒樋の前面部の外側から吊具を通して鼻隠しに打ち込んで軒樋を鼻隠しに固定することを特徴とする。
より詳しくは、前面部と底面部と後面部とで略Ｕ字形断面形状をなし、前面部の上方に後方へ折り返した縁部が形成されてなる軒樋と、軒樋の前面部と後面部との内面部間に横架される吊具本体内にビスが貫通する通孔を設けた吊具からなり、軒樋の前面部と後面部との内面部間に吊具を横架させ、ビスを軒樋の前面部の外側から吊具本体の通孔に挿通するとともに先端を後面部を通して鼻隠しに打ち込んで固定し、吊具本体の前部で軒樋の折り返し縁部を支持したことを特徴とする。
【０００８】
これによれば、従来使用していた樋受金物や樋内吊具などの支持具を用いることなく、予め支持具を鼻隠しに沿って取り付ける工程を経ずに、軒樋を鼻隠しに取り付けることができる。軒樋を固定するビスは軒樋の内側に横架させた吊具本体の通孔を通して鼻隠しに打ち込まれるので、ビスを打ち込む際の応力が軒樋の前面部にかかることはなく、また、横架した吊具本体の前後両端が軒樋の前後両面部の内面に接合し、軒樋の前面部の折り返し縁部が吊具本体の前部で支持されるため、軒樋が鼻隠しに簡単且つ堅牢に取り付けられるとともに、軒樋は安定した状態で鼻隠しに固定される。なお、吊具は、ビスの打ち込み位置に対応させて、軒樋内部に長手方向に沿って適当な間隔を開けて複数個が配される。
【０００９】
また、本発明の軒樋の取付構造は、吊具本体から立ち上がる支持片の上端に軒樋の上面を覆う落ち葉除けを固定し、落ち葉除けの前面側に設けた嵌合面部で軒樋の前面支持部を覆ったことを特徴とする。
【００１０】
これによれば、軒先に固定した軒樋の上面が落ち葉除けで覆われるので、軒樋内に落ち葉が落下して堆積するのが未然に防止でき、また積雪時に屋根に積もった雪を落ち葉除けでスムースに落下させることができるので、雪の重みを受けて軒樋が破損するのを防止する。
【００１１】
なお、軒樋を鼻隠しに固定するビスは軒樋の前後面部間の幅よりも長いものが用いられ、このビスには、コーススレッドなどの木ネジその他のネジ、釘、ボルト、ピンなどが含まれる。また、ビスの打ち込みには、周面にネジ溝が形成されたネジやボルトをネジ入れることや、釘やピンを打ち込むことなども含まれる。
【発明を実施するための最良の形態】
【００１２】
本発明の好適な一実施形態を図面を参照して説明する。
図１は本発明の一実施形態を示す軒樋を軒先に取り付けた状態の断面図、図２は図１の軒樋取り付け装置の展開斜視図、図３は本発明で使用する軒樋と継手の要部外観図、図４は吊具の外観図と要部を断面で示した側面図である。
【００１３】
図１及び図２に示されるように、本形態の軒樋の取付構造１は、鼻隠し７に取り付けられる軒樋２と、軒樋２を接続する継手２Ｆと、軒樋２の内部に横架される吊具３と、軒樋２の開口部上に取り付けられる落ち葉除け４とからなり、内側に複数の吊具３を装着した軒樋２を鼻隠し板８を挟んで、周面にネジ溝を有するビス５で留め付けるとともに、吊具本体３１から立ち上げた支持片３１ｄの上端に落ち葉除け４を割りピン６で固定して鼻隠し板８に沿って取り付けてある。図中、符号９は軒天井、１０は軒先水切り、１１は呼び樋である。
【００１４】
軒樋２は、例えば表面を塩化ビニル樹脂で覆うなどの耐蝕加工が施された、或いは耐蝕性を有する長尺の鋼板を長手方向に沿って折り曲げてなり、図３に示されるように、細幅な底面部２１の両側に前面部２２と後面部２３とを立ち上げて、上部を開口した略Ｕ字断面形状に形成してある。
より詳しくは、前面部２２は、底面部２１の前端から前方へ傾斜しつつ張り出した傾斜面２２ａの上部に底面部２１と平行に前方へ折れた前段部２２ｂを設けるとともに、前段部２２ｂの先端を上方へ直角に折り曲げて鉛直面２２ｃとし、さらに鉛直面２２ｃの上端に後方へ直角に折り返した折り返し面２２ｄを連ね、折り返し面２２ｄの縁部２２ｅを鉛直下方へ折り曲げた形状に設けてある。折り返し面２２ｄの縁部２２ｅと前段部２２ｂは上下に向き合い、その間に吊具本体３１の前部が嵌合する寸法に設定して縁部２２ｅの下部が前面支持部２Ａとなっている。また、鉛直面２２ｃにはビス５が貫通する通孔２２ｆが適宜な間隔を開けて複数形成してある。
また、後面部２３は、底面部２１の後端から直角に折れて前面部２２よりも高く立ち上がり、その中間部が屈曲して前面側に方形状に突出した凸部２３ａが形成してある。凸部２３ａの上辺は支持段部２３ａとなって、この支持段部２３ａに吊具３を当てがうことによって、軒樋２と吊具３の位置決めが簡単に行えるようになっている。
【００１５】
継手２Ｆは軒樋２、２同士を接続するものであって、軒樋２よりも短い帯状の鋼板を軒樋２と同じ形状に折り曲げて形成されており、その両端部の内側又は外側に軒樋２の端部を嵌合接続できるようになっている。この継手２Ｆの後面部の下部には、呼び樋１１が接続する開口２３ｄを形成してある。
【００１６】
吊具３は、ポリカーボネートなどの合成樹脂材を用いて成形され、図４に示されるように、ビス５が挿通する通孔３１ｃを内部に有する吊具本体３１の後端に、吊具本体３１の周囲からフランジ状に張り出していて下方へ帯状に延びた脚部３２を設けるとともに、吊具本体３１の下部と脚部３２とを三角形の梁面部３３で一体に接続した形状に設けてある。
より詳しくは、吊具本体３１はその前後端部３１ａ、３１ｂがそれぞれ軒樋２の前面部２２の鉛直面２２ｃの内面と後面部２３の内面とに接合する長さに設けられ、また、その上部には落ち葉除け４が重合する支持片３１ｄを上方へ突出させ、この支持片３１ｄには割りピン６の軸部が挿通する通孔３１ｅを形成してある。また、脚部３２は、吊具本体３１と直交して下方へ延び、その後側には軒樋２の凸部２３ａに嵌り込む凹部３２ａが設けられ、下端部は後方へ折れて突出した下折れ部３２ｃとなっている。
吊具３は、軒樋２の上部開口から軒樋内部に装填すると、吊具本体３１の前端部３１ａが軒樋２の前段部２２ｂと折り返し面２２ｄの縁部２２ｅとの間に嵌合して鉛直面２２ｃの内面に接合し、また、脚部３２の後面が軒樋２の後面部２３に接合するとともに、凹部２３ｃに下折れ部３２ｃが係合して、軒樋２の前後面部２２、２３間に横架され、軒樋２の折り返し縁部２２ｅが吊具本体３１の前部で支持される。
【００１７】
落ち葉除け４は、軒樋２と同様に長尺の鋼板を折り曲げてなり、図２に示されるように、軒樋２の上部開口を２／３程度の幅だけ閉鎖する幅の上面部４１内に、細幅の長孔４１ａを多数列設し、この上面部４１の前端に、断面略コ字状に折り返っていて、軒樋２の前面部２２の折り返し面２２ｄと前段部２２ｂの外面とに接合して鉛直面２２ｃの外側に嵌合する嵌合面部４２が形成してある。
【００１８】
また、鼻隠し板８は、鼻隠し７の前面を覆う上下幅（高さ）を有し、その上端を前方へ鋭角に折り曲げ、下端を軒天井９の縁部に沿って後方へ直角に折り曲げた形状に設けてあり、その下方は軒樋２の後面部２３に形成した凸部２３ａの背面側に嵌合する凸面８ａとなっている。
【００１９】
これらの部材により構成される本形態の軒樋の取付構造１は、以下の手順で鼻隠し７に取り付けることができる。
先ず、鼻隠し７の表面には予め鼻隠し板８を取り付けておく。そして、軒樋２の内側に吊具３を装填して、前後面部２２、２３間に横架させる。前述の通り、軒樋２内に横架させた吊具３は、その前端部３１ａが鉛直面２２ｃの内面、後端部３１ｂと脚部３２が後面部２３の内面にそれぞれ接合し、下折れ部３２ｃを凹部２３ｃに係合させて、軒樋２の前後面部２２、２３間に水平に保持される。吊具３を横架させる位置は、吊具３の後側に設けられた凹部３２ａを軒樋２の凹部２３ａに嵌め合わせるようにして位置決めし、軒樋２の鉛直面２２ｃに形成された各通孔２２ｆに位置を合わせおく。
軒樋２の内側に吊具３を横架させたならば、軒樋２を鼻隠し７の前方へ引き上げて鼻隠し板８にあてがう。その際、軒樋２の後面部２３を鼻隠し板８にあてがい、その下端部を軒天井９の前側縁部に係合させて軒樋２の取り付け位置を定める。
そして、軒樋２の前面部２２の外側からビス５を通孔２２ｆに通し、吊具３の通孔３１ｃ内に挿通させて先端を後面部２３に当接させ、その状態でビス５をさらにネジ込んで先端部を鼻隠し７にネジ入れて、軒樋２を鼻隠し７にビス留めし、固定する。
さらに、鼻隠し７に固定された軒樋２の鉛直面２２ｃに落ち葉除け４の嵌合面部４２を嵌め込んで、軒樋２の上部開口に落ち葉除け４の上面部４１を被せ、割りピン６の軸部を長孔４１から通して吊具３の支持片３１ｄの通孔３１ｅに係着させて、落ち葉除け４を軒樋２の開口上に固定する。
かくして、軒先水切り１０の先端に鼻隠し板８の上端部を係合し、軒樋２の折り返し縁部２２ｅが吊具３の前部で支持されことにより、軒樋２が吊具３で鼻隠し７に確実且つ堅牢に取り付けられる。そこで、継手２Ｆの後面部の下方に形成された開口２３ｄに呼び樋１１を接続することにより軒先周りの造作が完了する。
【００２０】
本形態では、鼻隠し板８は予め鼻隠し７に取り付けておいたが、軒樋２とともに鼻隠し板８を取り付けるようにしてもよい。すなわち、軒樋２の後面部２３に鼻隠し板８を重ねて軒樋２と一体に鼻隠し７にあてがい、ビス５で軒樋２とともに鼻隠し７に固定してもよい。また、鼻隠し板８を挟まずに、軒樋２を直接鼻隠し７に固定してもよい。さらに、吊具３は、軒樋２を鼻隠し７にあてがった状態で、軒樋２の内側に装填し横架させてもよい。
【００２１】
なお、図示した軒樋や吊具の形状は一例であり、これらは軒樋を取り付ける屋根の形状や外観デザイン、必要とされる雨水の流入容量などに応じて適宜な形状に形成することが可能である。
【図面の簡単な説明】
【００２２】
【図１】本発明の一実施形態を示す軒樋を軒先に取り付けた状態の断面図である。
【図２】図１の軒樋取り付け装置の構成部材の展開斜視図である。
【図３】軒樋と継手の要部外観図である。
【図４】吊具の外観図（Ａ）と要部を断面で示した側面図（Ｂ）である。
【図５】従来例における軒樋支持具の外観図（Ａ）と軒樋を軒に取り付けた状態の断面図（Ｂ）である。
【図６】従来の他の例における軒樋を軒に取り付けた状態の断面図である。
【符号の説明】
【００２３】
１  軒樋の取付構造、２  軒樋、２１  底面部、２２  前面部、２３  後面部、３  吊具、３１  吊具本体、３２  脚部、４  落ち葉除け、５  ビス、６  割りピン、７  鼻隠し、８  鼻隠し板、９  軒天井、１０  軒先水切り、１１  呼び樋
【図１】
2008045344.tif 000003
【図２】
2008045344.tif 000004
【図３】
2008045344.tif 000005
【図４】
2008045344.tif 000006
【図５】
2008045344.tif 000007
【図６】
2008045344.tif 000008